(57)【要約】【課題】より適切な治療がしやすく、使い勝手の良い治療台を提供する。【解決手段】治療台本体３の胴部マット６１が、頭部台４と胸部台５との間の第１の支点Ｂを中心として回動可能である。胴部マット６１を第１の支点Ｂを回転中心としてガスシリンダ６５にて回動させた後、ストッパ６４によるスライドボックス６３の溝部６３ａ内の被係合部６５ｄへの係合を解除させることにより、胴部マット６１を第１の支点Ｂを回動中心としてさらに下方へ回動できる。患者の肥大した腹部を胴部マット６１で支持しつつ、この患者の脊椎の位置や形状に対応させて頭部台４および腰部台７を最適な位置に移動できる。【選択図】図１
2011224361.tif 000002
【特許請求の範囲】
【請求項１】
患者の頭部を支持する頭部台と、患者の胴部を支持する胴部台と、患者の腰部を支持する腰部台を備え、これら頭部台、胴部台および腰部台が長手方向に並べて配設された治療台であって、
前記胴部台は、この胴部台の頭部台側に位置する第１の支点を中心として略水平な位置から下方に向けて回動可能に構成され、
前記第１の支点とは異なる第２の支点に一端が回動可能に固定され長手方向を有する進退可能な保持手段を有し、
この保持手段の他端は、前記胴部台の前後方向に沿って移動可能となるように前記胴部台に回転可能に取り付けられている
ことを特徴とした治療台。
【請求項２】
胴部台には、保持手段の他端の前記胴部台の長手方向に沿った移動を固定する固定手段が設けられている
ことを特徴とした請求項１記載の治療台。
【請求項３】
胴部台には、第１の支点との間に所定のテンションを与える回動調整手段が設けられている
ことを特徴とした請求項１または２記載の治療台。
【請求項４】
頭部台および腰部台は、これら頭部台および腰部台の幅方向の中心位置上方を中心として幅方向に揺動可能に構成されている
ことを特徴とした請求項１ないし３いずれか記載の治療台。
【請求項５】
患者の胸部を支持する胸部台を備え、
この胸部台は、頭部台と胴部台との間に配設され、前記頭部台側に向けて下方に傾斜した斜め方向に昇降可能に構成されている
ことを特徴とした請求項１ないし４いずれか記載の治療台。
【請求項６】
患者の頭部を支持する頭部台と、患者の腰部を支持する腰部台とを備え、これら頭部台および腰部台が長手方向に並べて配設された治療台であって、
前記頭部台および腰部台は、これら頭部台および腰部台の幅方向の中心位置上方を中心として幅方向に揺動可能に構成されている
ことを特徴とした治療台。
【発明の詳細な説明】
【技術分野】
【０００１】
本発明は、患者を寝かせて脊椎関節等の治療を行うために使用する治療台に関する。
【背景技術】
【０００２】
従来、この種の脊椎関節等の治療を行うための治療台としては、例えば下記特許文献１および２に記載のように、患者の頭部を支持する頭部台と、患者の胴部を支持する胴部台と、患者の腰部を支持する腰部台とが長手方向に並べて配設されており、頭部台が、この頭部台の幅方向の中心位置上方を中心として幅方向に揺動可能に構成され、胴部台が固定され、腰部台が、この腰部台の胴部台側とは反対側の端部を中心として回動可能に構成されているものが知られている。
【先行技術文献】
【特許文献】
【０００３】
【特許文献１】米国特許第４７２４８２８号明細書
【特許文献２】米国特許第４６６０５４９号明細書
【発明の概要】
【発明が解決しようとする課題】
【０００４】
しかしながら、上記特許文献１および２にかかる従来技術によれば、胴部台が固定されているため、腹部の大きな患者等については、腹部が邪魔になってしまい、患者の脊椎の形状や捩じれ等に対応させて頭部台および腰部台を適切な位置に移動しにくく、また、これら頭部台および胴部台を適切な位置に移動することができた場合であっても、この位置から胴部台を移動することができないため、適切な治療がしにくい場合がある。さらに、これら従来技術では、頭部台のみが幅方向に揺動可能であるため、この頭部台を患者の脊椎の形状や捩じれ等に対応させて揺動させた場合に、この頭部台の揺動に追従させて腰部台を移動することができず、患者の脊椎の形状や捩じれ具合等によっては、頭部台および胴部台を適切な位置に移動することができないから、適切な治療がしにくい場合があり、使い勝手が良くないといった問題がある。
【０００５】
そこで本発明は、従来技術における上記問題を解決し、より適切な治療がしやすく、使い勝手の良い治療台を提供することを目的とする。
【課題を解決するための手段】
【０００６】
この課題を解決するため、請求項１にかかる本発明は、患者の頭部を支持する頭部台と、患者の胴部を支持する胴部台と、患者の腰部を支持する腰部台を備え、これら頭部台、胴部台および腰部台が長手方向に並べて配設された治療台であって、前記胴部台は、この胴部台の頭部台側に位置する第１の支点を中心として略水平な位置から下方に向けて回動可能に構成され、前記第１の支点とは異なる第２の支点に一端が回動可能に固定され長手方向を有する進退可能な保持手段を有し、この保持手段の他端は、前記胴部台の前後方向に沿って移動可能となるように前記胴部台に回転可能に取り付けられている、ことを特徴とする治療台である。
【０００７】
請求項２は、請求項１の治療台において、胴部台には、保持手段の他端の前記胴部台の長手方向に沿った移動を固定する固定手段が設けられている、ことを特徴とする。
【０００８】
請求項３は、請求項１または２の治療台において、胴部台には、第１の支点との間に所定のテンションを与える回動調整手段が設けられている、ことを特徴とする。
【０００９】
請求項４は、請求項１ないし３いずれかの治療台において、頭部台および腰部台は、これら頭部台および腰部台の幅方向の中心位置上方を中心として幅方向に揺動可能に構成されている、ことを特徴とする。
【００１０】
請求項５は、請求項１ないし４いずれかの治療台において、患者の胸部を支持する胸部台を備え、この胸部台は、頭部台と胴部台との間に配設され、前記頭部台側に向けて下方に傾斜した斜め方向に昇降可能に構成されている、ことを特徴とする。
【００１１】
請求項６は、患者の頭部を支持する頭部台と、患者の腰部を支持する腰部台とを備え、これら頭部台および腰部台が長手方向に並べて配設された治療台であって、前記頭部台および腰部台は、これら頭部台および腰部台の幅方向の中心位置上方を中心として幅方向に揺動可能に構成されている、ことを特徴とする治療台である。
【発明の効果】
【００１２】
本発明によれば、胴部台の頭部台側に位置する第１の支点を中心として略水平な位置から下方に向けて胴部台が回動可能に構成されており、この第１の支点とは異なる第２の支点に一端が回動可能に固定され長手方向を有する進退可能な保持手段の他端が、胴部台の前後方向に沿って移動可能となるように胴部台に回転可能に取り付けられているため、例えば、腹部の大きな患者等の場合においては、保持手段を進退させることによって、胴部台を第１の支点を中心として略水平な位置から下方に回動でき、この患者の脊椎の形状や捩じれ等に対応させて頭部台および腰部台を適切な位置に移動できるとともに、さらに、この保持手段の他端を胴部台の前後方向に移動させることによって、保持手段にて胴部台を第１の支点を中心として回動させた位置から、この胴部台をさらに第１の支点を中心として回動できるので、より適切な治療がしやすく、使い勝手を向上できる。
【００１３】
また、保持手段の他端の胴部台の長手方向に沿った移動を固定する固定手段が胴部台に設けられているため、保持手段の他端の胴部台の長手方向に沿った移動を固定手段にて固定することにより、保持手段の進退にて調整された胴部台の第１の支点を中心とした回動が固定されるため、患者の体型や症状に対応させて胴部台の第１の支点を中心とした回動を固定することが可能となり、より様々な体型や症状の患者に対応させて治療できる。
【００１４】
さらに、第１の支点との間に所定のテンションを与える回動調整手段が胴部台に設けられているため、保持手段の他端を胴部台の前後方向に移動させることによる、第１の支点を中心とした胴部台の回動調整をより確実に行うことができるから、より適切な治療がしやすく、使い勝手をより向上できる。
【００１５】
また、患者の胸部を支持する胸部台を頭部台と胴部台との間に配設し、この胸部台を、頭部台側に向けて下方に傾斜した斜め方向に昇降可能としたことにより、患者の胸部の大きさに対応させて胸部台を昇降させて調整できると同時に、治療する際の力を胸部に適切に加えることができるため、より適切な治療がしやすく、使い勝手をより向上できる。
【００１６】
また、患者の脊椎の両端部を支持する頭部台および腰部台のそれぞれが、幅方向の中心位置上方を中心として幅方向に揺動可能に構成されているため、頭部台を患者の脊椎の形状や捩じれ等に対応させて揺動させた場合に、この頭部台の揺動に追従させて腰部台を揺動でき、患者の脊椎の形状や捩じれ具合等に合わせて、頭部台および胴部台を適切な位置に移動できるから、より適切な治療がしやすく、使い勝手を向上できる。
【図面の簡単な説明】
【００１７】
【図１】本発明の一実施の形態による治療台の概要を示す正面図である。
【図２】上記治療台の概要を示す平面図である。
【図３】上記治療台の頭部台の概要を示す平面図である。
【図４】上記治療台の頭部台の概要を示す左側面図である。
【図５】上記治療台の胸部台および胴部台の概要を示す平面図である。
【図６】上記治療台の腰部台の概要を示す平面図である。
【図７】上記治療台の腰部台の概要を示す左側面図である。
【図８】本発明の他の実施の形態による治療台の概要を示す正面図である。
【図９】上記治療台の概要を示す平面図である。
【発明を実施するための最良の形態】
【００１８】
本発明の一実施の形態による治療台について図１ないし図７を参照して説明する。
【００１９】
この治療台１は、主として頸椎等の脊椎関節の治療を行うために使用されるものであって、患者をうつ伏せにして頭部と腰部とを支えた状態で、この患者の脊椎関節等を治療したり施術したりする施術台である。具体的に、この治療台１は、図１および図２に示すように、走行可能に構成された機台２上に、ベッド状の治療台本体３が設置されている。この治療台本体３は、この治療台本体３上に患者を寝そべらせた場合に、この患者の頭部を支持する頭部台４と、この患者の胸部を支持する胸部台５と、この患者の胴部を支持する胴部台６と、この患者の腰部を支持する腰部台７と、この患者の脚部を支持する脚部台８とを備えている。そして、これら頭部台４、胸部台５、胴部台６、腰部台７および脚部台８のそれぞれは、治療台本体３の長手方向に沿って並べられて配設されている。さらに、この治療台本体３は、機台２に取り付けられた昇降機構２１によって、治療台本体３の基端側を回転中心として回動可能かつ昇降可能に構成されており、この昇降機構２１は、一端が機台２の長手方向の中心位置より頭部台４側である先端寄りの位置に接続された駆動手段としての油圧シリンダ２２を備えている。
【００２０】
一方、治療台本体３は、一対の本体フレーム３１を備えており、これら一対の本体フレーム３１の脚部台８側である基端側が機台２に回転可能に接続されており、これら一対のフレーム３１の基端側と機台２との間に油圧シリンダ２２の他端が回動可能に接続され、この油圧シリンダ２２の駆動にて治療台本体３の先端側を上方に向けて移動させ、水平位置から、例えば、６３°ほど起立できるように構成されている。さらに、これら一対のフレーム３１の基端側には、治療台本体３を回動させて起立させた場合に、患者の足部が載って自立可能にさせる踏台部３２が取り付けられている。この踏台部３２は、昇降機構２１の油圧シリンダ２２による治療台本体３の起立および動作に連動して、この踏台部３２の基端側を中心として回動するように構成されている。
【００２１】
次いで、頭部台４は、一対の本体フレーム３１の先端側に取り付けられており、図１ないし図４に示すように、平面視略凹状の頭部マット４１を備えている。この頭部マット４１は、凹状の開口部４１ａ側を基端側に向けた状態で、平板状の頭部プレート４２上に設置されて取り付けられており、この頭部プレート４２の基端側が、平板状の頭部スイングプレート４３の基端側に設けられた連結部４３ａによって、上下方向に回動可能に取り付けられている。そして、この頭部プレート４２は、この頭部プレート４２の先端側の中心位置に取り付けられた昇降ハンドル４４を回転させることによって、この頭部プレート４２の基端側の連結部４３ａを中心として、この頭部プレート４２の先端側を上下方向に回動させて、この頭部プレート４２の先願側を水平位置から、例えば７ｍｍほど上昇させて傾けることができるように構成されている。
【００２２】
さらに、頭部スイングプレート４３は、この頭部スイングプレート４３の基端寄りの中心位置が、上下方向に沿った軸方向を有する回転軸４５に回転可能に連結されており、この回転軸４５を中心として水平方向に回転可能に取り付けられている。ここで、この頭部スイングプレート４３は、図２に示すように、この頭部スイングプレート４３の長手方向を機台２の長手方向に沿わせた状態から回転軸４５を回転中心として各幅方向に各１５°ずつ水平回転できるように構成されており、頭部プレート４２の幅方向の両端部に取り付けられた首振バー４７を把持して移動させることによって、頭部マット４１を所定の角度に回転できるように構成されている。
【００２３】
そして、この頭部スイングプレート４３の下方には、図４に示すように、頭部台４の頭部マット４１の幅方向の中心位置上方に位置する支点Ａを中心として幅方向に揺動可能にさせる頭部揺動機構４８が設けられている。この頭部揺動機構４８は、凹弧状に湾曲した断面Ｌ字状の一対のレール体４８ａを備えており、これらレール体４８ａを向かい合わせた状態で頭部スイングプレート４３の下面の長手方向の両端部に取り付けられている。ここで、これらレール体４８ａは、支点Ａが中心位置となる曲率に湾曲されて形成されている。そして、これらレール体４８ａ内には、円柱状のローラ体である一対のカムフロア４８ｂが回転可能に収容されており、これらレール体４８ａの湾曲方向に向けて各カムフロア４８ｂが相対的に移動可能となるように固定されている。ここで、これらカムフロア４８ｂは、連結ベース４８ｃの長手方向の両端部に回転可能に取り付けられており、この連結ベース４８ｃの幅方向に沿って連動軸４８ｄが取り付けられている。この連動軸４８ｄは、この連動軸４８ｄの両端部に取り付けられた回転ハンドル４８ｅを回転させ、この連動軸４８ｄの中間部に取り付けられた台形ねじ４８ｆを回転させることによって、この台形ねじ４８ｆに嵌合された筒状体４８ｇを軸方向に移動させ、この筒状体４８ｇに一端が回動可能に連結され頭部スイングプレート４３に他端が回動可能に連結されたリンクプレート４８ｈの他端を連動軸４８ｄの軸方向に移動させて、この頭部スイングプレート４３を一対のレール体４８ａの湾曲方向に沿って、中心位置から、例えば各１０°ずつ揺動、すなわち旋回（ツイスト）するように構成されている。さらに、この頭部揺動機構４８の下方には、頭部昇降機構４９が取り付けられており、この頭部昇降機構４９のペダル４９ａを操作することによって頭部台４の頭部マット４１が、例えば９０ｍｍほど上下方向に昇降可能に構成されている。
【００２４】
さらに、頭部台４の頭部プレート４２と頭部スイングプレート４３との間には、頭部マット４１を上方に引っ張ることによって所定間隔、例えば７ｍｍほど上昇移動して固定され、この頭部マット４１に上方から所定の圧力を加えることによって、この頭部マット４１が所定間隔、例えば７ｍｍほどスライド移動する頭部ドロップ機構４２ａが設けられている。
【００２５】
次いで、胸部台５は、平面視略矩形状の胸部マット５１を備えており、この胸部マット５１は、平板状の取付プレート５２上に昇降可能に取り付けられている。ここで、この取付プレート５２は、図１に示すように、胴部台６の前後方向を水平に位置させた状態で、この取付プレート５２の前後方向が、胴部台６側に向けて下方に傾斜させて取り付けられている。したがって、胸部マット５１は、頭部台４側に向けて、例えば４０°〜５０°程度の角度に下方に向けて傾斜した斜め方向に沿って昇降可能となるように構成されている。そして、図１に示すように、この取付プレート５２の先端側の端部が、頭部台４と胸部台５との間に位置する第１の支点Ｂを中心として回動可能に接続されている。具体的に、この取り付プレート５２は、胸部マット５１の先端側が水平位置から、例えば１１ｍｍほど上昇させて傾けることができるように構成されている。また、この取付プレート５２の下部には、胸部マット５１の第１の支点Ｂを中心とした回動を操作するための操作レバー５３が取り付けられている。
【００２６】
そして、胸部台５の胸部マット５１と取付プレート５２との間においても、この胸部マット５１を上方に引っ張ることによって所定間隔、例えば１１ｍｍほど上昇移動して固定され、この胸部マット５１に上方から所定の圧力を加えることによって、この胸部マット５１が所定間隔、例えば１１ｍｍほど下方にスライド移動する胸部ドロップ機構５２ａが設けられている。
【００２７】
さらに、胴部台６は、平面視略矩形状の胴部マット６１を備えており、この胴部マット６１は、一対の胴部マットフレーム６２の先端側の平坦な平坦部６２ａ上に設置されている。ここで、この胴部マット６１の下部には、回動調整手段としてのスイングボックス６３が取り付けられており、このスイングボックス６３は、胴部マットフレーム６２の平坦部６２ａ間に挿入されて取り付けられており、このスイングボックス６３の内部には胴部台６の前後方向に沿って形成された溝部６３ａが設けられている。そして、これら胴部マットフレーム６２の基端側に位置する略コ字状に屈曲した屈曲部６２ｂの先端寄りの位置に固定手段としてのストッパ６４が取り付けられ、このストッパ６４の先端部がスイングボックス６３内に挿入可能となるように構成されている。
【００２８】
そして、これら胴部マットフレーム６２の屈曲部６２ｂの基端部は、第１の支点Ｂを中心として回動可能に取り付けられており、この第１の支点Ｂに回動可能に取り付けられた胸部台５の胸部マット５１とともに、第１の支点Ｂを中心として胴部マット６１が回転可能に取り付けられている。ここで、これら胸部マット５１および胴部マット６１は、第１の支点Ｂを中心とした略水平な位置、例えば水平位置から上方へ３°ほど上昇させた位置から下方に向けて、例えば１４°ほど回動できるように構成されている。さらに、これら胴部マットフレーム６２の平坦部６２ａの基端寄りの位置と機台２との間には、胸部マット５１および胴部マット６１の回動位置を調整して保持することが可能な保持手段としてのガスシリンダ６５が取り付けられている。
【００２９】
このガスシリンダ６５は、図１に示すように、機台２の基端側から先端側に向けて下方に傾斜して取り付けられており、このガスシリンダ６５のピストン部６５ａの先端部が胸部マット６１の下方位置の機台２に回動可能に連結され、このピストン部６５ａの先端部が第１の支点Ｂとは異なる第２の支点Ｄとされている。そして、このガスシリンダ６５は、このガスシリンダ６５のピストン部６５ａの先端部が連結されている位置に近接した機体上に設けられたペダル６５ｃを操作することによって、このガスシリンダ６５のピストン部６５ａが進退動作し、このガスシリンダ６５のストローク（長さ）を操作して、胸部マット５１および胸部マット６１の第１の支点Ｂを回転中心とした回動角度を操作できるように構成されている。
【００３０】
さらに、このガスシリンダ６５のシリンダ部６５ｂの基端部には、側面視円形状の被係合部６５ｄが形成されており、この被係合部６５ｄは、スイングボックス６３の溝部６３ａ内に摺動可能かつ回動可能に収容されており、この溝部６３ａの長手方向、すなわち平坦部６２ａに沿って直線上に移動可能、すなわちスイング移動可能に取り付けられている。そして、この被係合部６５ｄは、この被係合部６５ｄがスイングボックス６３の溝部６３ａ内の最も前側に移動した位置において、ストッパ６４の先端部に係合可能に構成されており、このストッパ６４による被係合部６５ｄへの係合によって、ガスシリンダ６５を進退させることによる胴部マット６１の第１の支点Ｂを回転中心とした上下方向の回動以外の、スイングボックス６３の溝部６３ａ内で被係合部６５ｄがスライド移動することによる、胴部マット６１の第１の支点Ｂを回転中心とした上下方向の回動が固定されるように構成されている。したがって、これら被係合部６５ｄおよびストッパ６４によって、スイングボックス６３の溝部６３ａ内で被係合部６５ｄがスライド移動することによる第１の支点Ｂを回転中心とした胴部マット６１の回動を固定するロック機構としての係合保持機構６９が構成されている。
【００３１】
また、ガスシリンダ６５のシリンダ部６５ｂの被係合部６５ｄには、リンクフレーム６６の一端が回転可能に連結されている。このリンクフレーム６６の他端は、ガスシリンダ６５のピストン部６５ａの先端部の連結位置よりも機台２の基端寄りの位置に回転可能に連結されている。そして、このリンクフレーム６６の他端には、支持フレーム６７の一端が回動可能に連結されており、この支持フレーム６７の他端は、胴部マットフレーム６２の屈曲部６２ｂの基端側の角部に回動可能に連結されている。さらに、この支持フレーム６７の他端が連結された胴部マットフレーム６２の屈曲部６２ｂの基端側の角部と、リンクフレーム６６の中間部との間に回動調整手段としてのスプリング６８が取り付けられている。このスプリング６８は、第１の支点Ｂと胴部マット６１との間、具体的には、胴部マットフレーム６２の屈曲部６２ｂとリンクフレーム６６の中間部との間に所定のテンション（張力）を与えるものであって、このスプリング６８の弾性力によって、スイングボックス６３の溝部６３ａ内の被係合部６５ｄへのストッパ６４の係合を取り外した状態における、胸部マット５１および胴部マット６１の第１の支点Ｂを回転中心とした回動位置をある程度維持させ、これら胸部マット５１および胴部マット６１の第１の支点Ｂを回転中心とした回動をより確実に調整できるようにするために設けられている。
【００３２】
すなわち、スイングボックス６３は、ガスシリンダ６５の操作にて第１の支点Ｂを回転中心とした胸部マット５１および胴部マット６１の回動が調整されて位置決め保持された位置から、このスイングボックス６３の溝部６５ａ内に摺動可能に収容された被係合部６５ｄに対するストッパ６４の係合を解除させることによって、ガスシリンダ６５およびリンクフレーム６６の回動可能に連結された基端側の被係合部６５ｄがスイングボックス６３の溝部６５ａ内にてスイング移動可能となり、操作レバー５３を用いて胸部マット５１および胴部マット６１を第１の支点Ｂを回転中心として回動調整できるように構成されている。よって、これら胸部マット５１および胴部マット６１は、ペダル６５ｃを用いたガスシリンダ６５の進退操作によって第１の支点Ｂを回動中心として回動操作できるとともに、ストッパ６４を回動させてスイングボックス６３の溝部６３ａ内の被係合部６５ｄへの係合を解除させることによって、胴部マット６１の回動がスプリング６８の弾性力によって、ある程度維持されて保持されながら第１の支点Ｂを回動中心として操作レバー５３を用いて回動操作できるため、ガスシリンダ６５による調整と、操作レバー５３による調整とにより、これら胸部マット５１および胴部マット６１を２段階に亘って調整できるように構成されている。
【００３３】
さらに、腰部台７は、一対の本体フレーム３１の基端側に取り付けられており、図１、図２および図７に示すように、平面視略凹状の腰部マット７１を備えている。この腰部マット７１は、凹状の開口部７１ａ側を先端側に向けた状態で、平板状の腰部プレート７２上に設置されて取り付けられており、この胴部プレート７２の基端側が、平板状の腰部スイングプレート７３の基端側に設けられた連結部７３ａによって、上下方向に回動可能に連結されている。そして、この腰部プレート７２は、この腰部プレート７２の先端側の両側部に取り付けられた摘み７４を把持して上下操作することによって、この腰部プレート７２の基端側の連結部７３ａを回転中心として、この腰部プレート７２の先端側を水平位置から、例えば２０°ほど上方に回動させて昇降できるように構成されている。
【００３４】
また、この腰部スイングプレート７３は、図６に示すように、この腰部スイングプレート７３の先端側の幅方向の中心位置が、上下方向に沿った軸方向を有する回転軸７５に回転可能に連結されており、この回転軸７５を回転中心として水平方向に回転可能に取り付けられている。ここで、この腰部スイングプレート７３は、この腰部スイングプレート７３の長手方向を機台２の長手方向に沿わせた状態から各幅方向に向けて水平に回転できるように構成されており、腰部プレート７２の基端側の両側部に取り付けられた首振バー７６を把持して移動させることによって、腰部マット７１を所定の角度に水平に回動できるようにされている。
【００３５】
そして、この腰部スイングプレート７３の下方には、図７に示すように、腰部台７の腰部マット７１の幅方向の中心位置上方に位置する支点Ｃを回転中心として幅方向に揺動可能にさせる腰部揺動機構７８が設けられている。この腰部揺動機構７８は、凹弧状に湾曲した断面Ｌ字状の一対のレール体７８ａを備えており、これらレール体７８ａを対向させた状態で腰部スイングプレート７３の下面の長手方向の両端部に取り付けられている。ここで、これらレール体７８ａは、支点Ｃが中心位置となる曲率に湾曲されて形成されている。そして、これらレール体７８ａ内には、円筒状のローラ体である一対のカムフロア７８ｂが回転可能に収容されており、これらレール体７８ａの湾曲方向に向けて各カムフロア７８ｂが相対的に移動可能となるように固定されている。ここで、これらカムフロア７８ｂは、連結ベース７８ｃの長手方向の両端部に回転可能に取り付けられており、この連結ベース７８ｃの幅方向に沿って連動軸７８ｄが取り付けられている。この連動軸７８ｄは、図６および図７に示すように、この連動軸７８ｄの両端部に取り付けられた回転ハンドル７８ｅを回転させて、この連動軸７８ｄの中間部に取り付けられた台形ねじ７８ｆを回転させることによって、この台形ねじ７８ｆに嵌合された筒状体７８ｇを軸方向に移動させ、この筒状体７８ｇに一端が回動可能に連結され腰部スイングプレート７３に他端が回動可能に連結されたリンクプレート７８ｈの他端を連動軸７８ｄの軸方向に移動させて、この腰部スイングプレート７３を一対のレール体７８ａの湾曲方向に沿って、中心位置から、例えば各１０°ずつ揺動可能となるように構成されている。
【００３６】
ここで、これら腰部プレート７２と腰部スイングプレート７３と間においても、この腰部マット７１を上方に引っ張ることによって所定間隔、例えば１１ｍｍほど上昇移動して固定され、この腰部マット７１に上方から所定の圧力を加えることによって、この腰部マット７１が所定間隔、例えば１１ｍｍほど下方にスライド移動する腰部ドロップ機構７２ａが設けられている。また、これら腰部プレート７２と腰部スイングプレート７３との間には、この腰部プレート７２を腰部スイングプレート７３に対して長手方向、すなわち前後方向にスライド移動可能にさせるスライド機構７２ｂが設けられている。このスライド機構７２ｂは、腰部スイングプレート７３に取り付けられているハンドル７２ｃを操作して、これら腰部スイングプレート７３と腰部プレート７２との間の固定を解除させることによって、この腰部プレート７２を長手方向にスライド移動させ、ハンドル７２ｃを操作して腰部スイングプレート７３と腰部プレート７２とを固定することによって、この腰部プレート７２のスライド位置が固定される。
【００３７】
さらに、脚部台８は、平面視細長矩形状の脚部マット８１を備えており、この脚部マット８１は、平板状の脚部プレート８２上に取り付けられている。そして、この脚部プレート８２の下面には、一対の本体フレーム３１と踏台部３２との間に回動可能に取り付けられた連結フレーム８３の先端寄りの位置の上方に下端が多段階に長さ調整可能かつ回動可能に接続された脚部フレーム８４の上端が回動可能に接続されている。さらに、この脚部プレート８２の下面には、連結フレーム８４の中間位置に下端が回動可能に接続された保持手段としてのシリンダ８５の上端が回動可能に接続されており、脚部マット８１は、脚部フレーム８４の下端の回動位置、すなわち係合位置を調整することによって、多段階、例えば３段階に高さ調整可能に構成されているとともに、この高さ調整がシリンダ８５によって保持されている。このシリンダ８５は、このシリンダ８５の長さを調整することによって、脚部マット８１を踏台部３２側に向けて回動調整できるように構成されている。
【００３８】
さらに、連結フレーム８３の中間部には、側面視円板状の回転軸８６が回転可能に取り付けられており、この回転軸８６は、機台２に取り付けられたカム８７に沿って移動可能に設置され、この機台２から昇降機構２１にて本体フレーム３１を略水平な状態から起立動作させる際、およびこの本体フレーム３１を起立状態から略水平な状態に戻す動作をさせる際に、このカム８７に沿って移動して、本体フレーム３１の移動に連動させて脚部マット８１および踏台部３２を動作させる。
【００３９】
次に、上記一実施の形態の治療台１の使用方法について、説明する。
【００４０】
＜治療準備＞
まず、治療台１の昇降機構２１の油圧シリンダ２２を駆動させて、機台２から治療台本体３を起立させた状態に移動させる。この状態で、この治療台１を用いて脊椎関節等の治療を行う患者を、この治療台１の治療台本体３側に向かせて踏台部に起立させる。このとき、この治療台２の頭部台４を必要に応じ本体フレーム３１に沿って移動させて、この頭部台４の位置を調整する。
【００４１】
次いで、この治療台１の昇降機構２１の油圧シリンダ２２を再度駆動させて、治療台本体３が略水平となるように移動させて、この治療台本体３上に患者をうつ伏せで寝そべらせた状態とする。このとき、この治療台本体３の頭部台４の頭部マット４１の開口部４１ａに患者の顔部の鼻や口等を位置させ、この頭部マット４１の開口部４１ａの両側部にて患者の頭部の前面両側を支持させる。また、この治療台本体３の胸部台５の胸部マット５１にて患者の胸部前面を支持させるとともに、この治療台本体３の胴部台６の胴部マット６１にて患者の胴部前面を支持させる。同時に、この治療台本体３の腰部台７の腰部マット７１の開口部７１ａに患者の股間を位置させ、この腰部マット７１にて患者の腰部前面を支持させるとともに、この治療台本体３の脚部台８の脚部マット８１にて患者の脚部前面を支持させる。また必要に応じ、治療台１の昇降機構２１の油圧シリンダ２２を適宜操作して、この治療台１の治療台本体３の基端側を中心として回動させて、この治療台本体３の傾きを調整する。
【００４２】
＜頭部調整＞
そして、必要に応じ、この治療台本体３の頭部台４の頭部マット４１にて支持されている患者の頭部の位置や向きを適宜調整する。この場合に、この頭部台４の頭部マット４１にて支持されている患者の頭部の高さ位置を調整する場合には、この頭部台４の頭部昇降機構４９のペダル４９ａを操作して、頭部台４の頭部マット４１を昇降させて上下調整する。また、この患者の頭部の前後方向の傾きを調整する場合には、頭部台４の昇降ハンドル４４を適宜回転させて、この頭部台４の頭部マット４１の基端側の連結部４３ａを回転中心として回動させて、この頭部マット４１の長手方向の傾きを調整する。さらに、患者の頭部の横方向の傾きを調整する場合には、頭部台４の首振バー４７を把持して頭部マット４１を回転軸４５を中心として回転させて、この頭部マット４１の水平方向の傾きを調整する。
【００４３】
さらに、患者の頭部を左右方向に捩じって向きを調整する場合には、頭部台４の回転ハンドル４８ｅを適宜回転させる。このとき、この回転ハンドル４８ｅを回転することによって、連動軸４８ｄおよび台形ねじ４８ｆが回転し、この台形ねじ４８ｆに取り付けられている筒状体４８ｇが軸方向に移動し、この筒状体４８ｇの移動によってリンクプレート４８ｈを介して頭部スイングプレート４３が一対のレール体４８ａの湾曲方向に沿って揺動して、頭部マット４１が支点Ａを中心として幅方向に揺動し、この頭部マット４１の幅方向の捩じれを調整する。
【００４４】
＜胸部および胴部調整＞
また、必要に応じ、治療台本体３の胸部台５の胸部マット５１にて支持されている患者の胸部位置および、この治療台本体３の胴部台６の胴部マット６１にて支持されている患者の胴部位置を適宜調整する。このとき、これら胸部マット５１および胴部マット６１にて支持されている患者の胸部および胴部の傾きを調整する場合には、ペダル６５ｃを踏んでガスシリンダ６５を適宜進退操作して、この胸部台５の胸部マット５１および胴部台６の胴部マット６１のそれぞれを第１の支点Ｂを回転中心として回動させ、これら胸部マット５１および胴部マット６１の傾きを調整する。この場合に、この治療台本体３上に載っている患者が妊婦や肥満等で、この患者の腹部が大きく膨らんで肥大している場合には、べダル６５ｃを踏んでガスシリンダ６５を適宜進退操作して、第１の支点Ｂを中心として胴部台６の胴部マット６１を下方に向けて大きく回動させて、これら胸部台５の胸部マット５１および胴部台６の胴部マット６１にて患者の胸部および胴部を適切に支持させる。
【００４５】
このとき、この第１の支点Ｂを中心とした胸部マット５１および胴部マット６１の傾き調整については、これら胸部マット５１および胴部マット６１の傾きを調整した状態が、スイングボックス６３の溝部６３ａ内の被係合部６５ｄへのストッパ６４の係合によって保持されている。そこで、この治療台本体３上に載っている患者が妊婦や肥満等で、この患者の腹部が大きく膨らんで肥大している場合に、これら胸部マット５１および胴部マット６１をさらに下方に向けて移動させたい場合においては、ストッパ６４を下方へ回動させ、このストッパ６４によるスイングボックス６３の溝部６３ａ内の被係合部６５ｄへの係合を解除させてから、胸部台５の操作レバー５３を適宜操作して被係合部６５ｄをスイングボックス６３の溝部６３ａ内の後端側へスライド移動させて、胸部マット５１および胴部マット６１を第１の支点Ｂを回転中心としてさらに下方に回動させて、胸部台５の胸部マット５１および胴部台６の胴部マット６１にて患者の胸部および胴部を適切に支持させる。
【００４６】
＜腰部調整＞
また、必要に応じ、治療台本体２の腰部台７の腰部マット７１にて支持されている患者の腰部の位置や向きを適宜調整する。この場合に、この腰部台７の腰部マット７１にて支持されている患者の腰部の前後方向の傾きを調整する場合には、この腰部台７の摘み７４を適宜操作して、この腰部台７の腰部マット７１の先端側の連結部７３ａを中心として回動させて、この腰部マット７１の長手方向の傾きを調整する。また、この患者の腰部を支持する腰部マット７１の前後方向の位置を調整する場合には、ハンドル７２ｃを解除方向に回転させてスライド機構７２ｂにて腰部マット７１を前後方向にスライド移動できる状態にしてから、腰部マット７１を前後方向にスライド移動させて位置調整した後に、ハンドル７２ｃを逆方向である固定方向に回転させて、スライド機構７２ｂによる腰部マット７１の前後方向のスライド移動を固定させて調整する。また、この患者の腰部の横方向の傾きを調整する場合には、腰部台７の首振バー７６を把持して腰部マット７１を回転軸７５を中心として回転させて、この腰部マット７１の水平方向の傾きを調整する。さらに、頭部台４の頭部マット４１による患者の頭部の左右方向への捩じり調整に対応させて、この患者の腰部を左右方向に捩じって向きを調整する場合には、腰部台７の回転ハンドル７８ｅを適宜回転させる。このとき、この回転ハンドル７８ｅを回転させることによって、連動軸７８ｄおよび台形ねじ７８ｆが回転し、この台形ねじ７８ｆに取り付けられている筒状体７８ｇが軸方向に移動し、この筒状体７８ｇの移動よってリンクプレート７８ｈを介して腰部スイングプレート７３が一対のレール体７８ａの湾曲方向に沿って揺動して、腰部マット７１が支点Ｃを中心として幅方向に揺動し、この腰部マット７１の幅方向の捩じれを調整する。
【００４７】
＜脚部調整＞
さらに、必要に応じ、治療台本体３の脚部台８の脚部マット８１にて支持されている患者の脚部位置を適宜調整する。この場合に、この脚部台８の脚部マット８１にて支持されている患者の脚部の高さ位置を調整する場合には、この脚部台８の脚部マット８１等を把持し、この脚部マット８１をシリンダ８５に抗して進退させたり、この脚部マット８１を支持する脚部フレーム８４の下端の回動位置を適宜ずらしたりして、この脚部マット８１の高さ位置および前後方向の位置を適宜調整する。
【００４８】
＜治療＞
上記のように、治療台１の治療台本体３上にうつ伏せに寝そべらせた患者の脊椎の形状、捩じれおよび状態等に合わせて、この治療台本体３の頭部台４、胸部台５、胴部台６、腰部台７および脚部台８それぞれの位置を調整した状態で、この患者の適正部位やつぼを医師等が押したり引っ張ったりして、この患者の頸椎・胸椎・腰椎等の脊椎関節の治療を行う。
【００４９】
このとき、この患者の適正部位やつぼ等を押して治療する際に頭部ドロップ機構４２ａを用いる場合には、頭部マット４１を上方に引っ張って上昇移動させて固定してから、この頭部マット４１に載った患者の頭部のつぼ等に所定の圧力を加えることによって、この頭部マット４１を所定間隔ほど下方へドッップ移動させる。同様に、胸部ドロップ機構５２ａを用いる場合には、胸部マット５１を上方に引っ張って上昇移動させて固定してから、この胸部マット５１に載った患者の背中のつぼ等に所定の圧力を加えることによって、この頭部マット５１を所定間隔ほど下方へドッップ移動させる。さらに、腰部ドロップ機構７２ａを用いる場合には、腰部マット７１を上方に引っ張って上昇移動させて固定してから、この腰部マット７１に載った患者の腰のつぼ等に所定の圧力を加えることによって、この腰部マット７１を所定間隔ほど下方へドッップ移動させて、治療を行う。
【００５０】
前述のように、本発明の治療台１は、治療台本体３の胴部台６の胴部マット６１が、この胴部台６より頭側に位置する頭部台４と胸部台５との間の第１の支点Ｂを回転中心として回動可能に構成されており、この第１の支点Ｂとは異なる第２の支点Ｄに先端側が回動可能に固定されたガスシリンダ６５の基端側の被係合部６５ｄが、スイングボックス６３の溝部６３ａ内において胴部マット６１の前後方向に沿って移動可能に収容されて取り付けられているため、この胴部マット６１の第１の支点Ｂを回転中心とした回動がガスシリンダ６５にて保持されているとともに、このガスシリンダ６５の進退操作によって、この胴部マット６１の第１の支点Ｂを回転中心とした回動調整ができる。また、このガスシリンダ６５の基端側の被係合部６５ｄをスイングボックス６３の溝部６３ａ内でスライド移動させることによって、ガスシリンダ６５にて胴部マット６１の回動を調整した位置から、さらに下方に向けて回転調整できる。このため、この胴部台６の胴部マット６１を第１の支点Ｂを回転中心としてガスシリンダ６５にて回動させて下方に移動させた状態において、さらに必要に応じ、被係合部６５ｄをスイングボックス６３の溝部６３ａ内でスライド移動させることにより、この胴部マット６１を第１の支点Ｂを回転中心としてさらに下方に回動できるため、この胴部マット６１の下方への回動調整をより適切に調整できる。
【００５１】
したがって、例えば妊婦や肥満等の腹部が大きく膨らんで肥大した患者等であっても、この患者の肥大した腹部を胴部マット６１にて支持しつつ、この患者の頭部、胸部および腰部を頭部台４の頭部マット４１、胸部台５の胸部マット５１および腰部台６の腰部マット６１にて適切に支持でき、この腹部が肥大した患者の脊椎の位置や形状に対応させて頭部台４および腰部台７を治療に最適な位置に移動することができるから、より適切な治療がしやすく、治療台１の使い勝手を向上できる。
【００５２】
特に、この治療台１の胴部台６の胴部マット６１をガスシリンダ６５の進退操作にて第１の支点Ｂを中心として回動させて患者の適切な位置に移動させるとともに、この治療台１の頭部台４、胸部台５、腰部台７および脚部台８のそれぞれを患者の適切な位置に移動させた状態から、この治療台１の胴体台６のストッパ６４によるスイングボックス６３の溝部６３ａ内の被係合部６５ｄへの係合を解除させることによって、この被係合部６５ｄがスイングボックス６３の溝部６３ａ内の後側に向けてスライド移動可能となり、この胴部マット６１を第１の支点Ｂを回転中心として、さらに下方に回動させることができる。したがって、これら頭部台４、胸部台５、胴部台６、腰部台７および脚部台８のそれぞれの位置を調整した状態から、胴部台６の胴部マット６１をさらに下方に向けて移動させて回動させることができるため、様々な体型の患者に対応させて治療台１を用いることができ、この治療台１の使い勝手をさらに向上できる。
【００５３】
さらに、胴部台６の胴部マット６１の第１の支点Ｂを中心とした回動については、この胴部台６の胴部マットフレーム６２とリンクフレーム６６との間に取り付けられたスプリング６８による弾性力によって、この胴部マット６１を第１の支点Ｂを中心として適宜回動させた状態がある程度維持されるとともに、この胴部台６の胴部マットフレーム６２と機台２との間に取り付けられたガスシリンダ６５によって、この胴部マット６１を第１の支点Ｂを中心として適宜回動させた状態が保持される。したがって、この胴部台６の胴部マット６１の位置を第１の支点Ｂを中心に回動調整して保持した状態で、この胴部台６以外の頭部台４、胸部台５、腰部台７および脚部台８のそれぞれを患者の適切な位置に移動させることができる。また、これら頭部台２、胸部台５、腰部台７および脚部台８のそれぞれを適切な位置に移動させた状態において、胴部台６のスイングボックス６３の溝部６３ａ内の被係合部６５ｄへのストッパ６４の係合を解除させることによって、ガスシリンダ６５の基端側の被係合部６５ｄがスイングボックス６３の溝部６３ａ内でスライド移動可能となり、この胴部台６の胴部マット６１を第１の支点Ｂを回転中心として、さらに下方または上方に向けて回動できるから、ガスシリンダ６５による調整とスイングボックス６３による調整との、２段階に亘って胴部マット６１を調整できるため、より適切な治療がしやすくなる。
【００５４】
また、治療台１の治療台本体３上に患者を寝そべらせた場合に、この患者の脊椎の上端部を支持する頭部台４の頭部マット４１と、この患者の脊椎の下端部を支持する腰部台７の腰部マット７１のそれぞれが、これら頭部マット４１および腰部マット７１の幅方向の中心位置上方の支点Ａ，Ｃを中心として幅方向に揺動可能に構成されているため、例えば、頭部台４の頭部マット４１を患者の脊椎節の形状や曲がり等に対応させて揺動させた場合に、この頭部台４の頭部マット４１の揺動に追従させたり、この頭部マット４１の揺動と対称的に、腰部台７の腰部マット７１を揺動させたりすることができる。このため、患者の脊椎の形状、特に曲がり具合や捩じれ具合等に対応させて、これら頭部台４の頭部マット４１および腰部台７の腰部マット７１をより適切な位置に移動することができるから、より適切な治療がしやすく、使い勝手を向上できる。
【００５５】
さらに、胴部台６の前後方向を水平に位置させた状態で、この胴部台６の前側に位置する胸部台５の取付プレート５２の前後方向を、胴部台６側に向けて下方に傾斜させて取り付けたことにより、この取付プレート５２に取り付けられている胸部マット５１が、頭部台４側に向けて下方に傾斜した斜め方向に沿って昇降可能となる。このため、患者の胸部の大きさに対応させて胸部マット５１を昇降させて高さを調整できると同時に、この胸部マット５１にて支持する患者の胸部に対し、治療する際に加える力を適切に加えることができる。よって、より様々な体型の患者に対しても、より適切な治療がしやすくなるため、使い勝手をより向上できる。
【００５６】
また、頭部台４の頭部マット４１の高さ調整にて調整される頸椎（１Ｃ〜７Ｃ）については、この頸椎を支える他の骨が存在しない。このため、胸部台５の胸部マット５１の高さを調整して、この頸椎の傾斜角度を改めて調整する必要がある。さらに、胸椎（１Ｄ〜８Ｄ）は肋骨および胸骨に跨るため、上方に移動（スライド）しない。このため、胸椎には、体幹と同様の落下作用（下方へのスライド移動：ドロップ作用）を与える必要があり、頸椎への落下作用に連動させた落下作用が必要となる。すなわち、これら胸椎および頸椎については、これら胸椎および頸椎が落下作用時に共に落下しない場合には、固定したサブラクセイション（ズレ又は歪みによって神経伝達異常を発生させている椎骨）に対して大きな力が加わってしまい、落下作用によるダメージが生じるおそれがある。そこで、上述のように、胸部台５の胸部マット５１の前後方向の傾斜角度を、胴部台６側に向けて下方に傾斜させ、この状態で上下方向に昇降可能としたことにより、この胸部台５の胸部マット５の高さ調整にて調整される頸椎および上部胸椎（１Ｄ〜３Ｄ）のそれぞれに対して落下作用による効果を期待できる。この場合に、胸部台５の胸部マット５１の胴部台６側に位置する側を回転中心（支点）としたドロップ機構５２ａとすることにより、頸椎および胸椎が連結されていることから、これら頸椎および胸椎のいずれかの椎骨に落下作用を与えることによって、他の頸椎および胸椎に対しても落下作用による効果を期待できる。
【００５７】
次に、本発明の他の実施の形態による治療台について図８および図９を参照して説明する。
【００５８】
この図８および図９に示す治療台１ａは、図１ないし図７に示す治療台１と略同様の構成であるが、この治療台１ａの頭部台４より前端側の本体フレーム３１上に、治療者が腰掛ける等するための腰掛マット９が取り付けられたものである。具体的に、この腰掛マット９は、一対の本体フレーム３１上に橋渡しされて固定されており、前端側から後端側に向けて徐々に広がる平面視略台形状に形成されている。さらに、この腰掛マット９の後端側の中央部には、上下方向に貫通して切り欠かれた平面視略凹状の切欠凹部９ａが設けられている。そして、この腰掛マット９は、治療台１の略水平状態の治療台本体３上にうつ伏せに寝そべった患者の、特に頭部の治療を行う場合等において、治療者が腰掛ける等して姿勢や状態を安定させて、患者の治療を正確かつ確実に行うことができるようにするために設けられている。
【００５９】
また、頭部台４の頭部マット４１の開口部４１ａの開口内縁が徐々に開口したテーパ状に形成されたテーパ面４１ｂとされているとともに、この頭部マット４１の後側に位置する各面が内側に進むにつれて後端側に突出する傾斜面４１ｃとされており、この頭部台４の頭部マット４１を回転軸４５を回転中心として水平方向に回転させて調整した際に、この頭部マット４１が胸部マット５１に接触等しにくくなるように構成されている。一方、胸部台５の胸部マット５１の前端側に位置する面は、上方から下方に向けて後側に傾斜した傾斜面５１ａとされており、この胸部台５の胸部マット５１を第１の支点Ｂを回転中心として下方に回動させた場合に、この胸部マット５１の前側の下端部が頭部マット４１と接触等しにくくなるように構成されている。
【００６０】
なお、上記各実施の形態では、治療台１の治療台本体３上に患者を寝そべらせた状態で、この治療台本体３の頭部台４、胸部台５、胴部台６、腰部台７および脚部台８の順に、これら頭部台４、胸部台５、胴部台６、腰部台７および脚部台８の位置をそれぞれ調整したが、これら頭部台４、胸部台５、胴部台６、腰部台７および脚部台８を調整する順については、患者の体型や状態等に合わせて適宜変更することができる。
【符号の説明】
【００６１】
１  治療台
４  頭部台
５  胸部台
６  胴部台
７  腰部台
６５  ガスシリンダ（保持手段）
６４  ストッパ（固定手段）
６８  スプリング（回動調整手段）
Ｂ  第１の支点
Ｄ  第２の支点
【図１】
2011224361.tif 000003
【図２】
2011224361.tif 000004
【図３】
2011224361.tif 000005
【図４】
2011224361.tif 000006
【図５】
2011224361.tif 000007
【図６】
2011224361.tif 000008
【図７】
2011224361.tif 000009
【図８】
2011224361.tif 000010
【図９】
2011224361.tif 000011